(57)【要約】【課題】解体効率を高めることを可能とする容器解体器具を提供することである。【解決手段】容器解体器具１０は、箱状の容器である牛乳パック２の折り曲げ部上を移動させて牛乳パック２を切断して解体するための容器解体器具１０であって、第１平面１２の一方側の辺と第２平面１４の一方側の辺とが重なって境界辺２２を構成し、第１平面１２と第２平面１４とが所定の角度をなし、第１平面１２の他方側の辺と第２平面１４の他方側の辺に向けて広がるように形成される凹部を有する把持部１１と、把持部１１の境界辺２２から突出し、移動の進行方向に刃先が向けられた刃部１６と、を備え、刃部１６と第１平面１４のなす角度は、１５°〜３０°の範囲内に設定されていることを特徴とする。【選択図】図１
2019205731.tif 000002
【特許請求の範囲】
【請求項１】
箱状の容器の折り曲げ部上を移動させて前記容器を切断して解体するための容器解体器具であって、
第１平面の一方側の辺と第２平面の一方側の辺とが重なって境界辺を構成し、前記第１平面と前記第２平面とが所定の角度をなし、前記第１平面の他方側の辺と前記第２平面の他方側の辺に向けて広がるように形成される凹部を有する把持部と、
前記把持部の前記境界辺から突出し、前記移動の進行方向に刃先が向けられた刃部と、
を備え、
前記刃部と前記第１平面のなす角度は、１５°〜３０°の範囲内に設定されていることを特徴とする容器解体器具。
【請求項２】
請求項１に記載の容器解体器具において、
前記刃部は、前記境界辺に設けられる基端部と反対側の先端部の刃先のみに前記容器を切断できない丸み部を有していることを特徴とする容器解体器具。
【請求項３】
請求項１または請求項２に記載の容器解体器具において、
前記刃部は、通常に切断する際の第１の位置と、前記第１の位置から前記進行方向と反対の方向に動きながら切断する際の第２の位置との間を移動可能に設けられており、
前記刃部が前記第２の位置に移動した際に前記第１の位置に戻るような復元力を与える弾性部を備えることを特徴とする容器解体器具。
【請求項４】
請求項１から請求項３のいずれか１項に記載の容器解体器具において、
前記第１平面は、ユーザーが前記把持部を把持した際に親指が位置する側と反対側に設けられていることを特徴とする容器解体器具。
【発明の詳細な説明】
【技術分野】
【０００１】
本発明は、容器解体器具に関する。
【背景技術】
【０００２】
従来、牛乳パックなどの紙で形成された容器は、リサイクル活動の一環として、解体した状態で回収することがある。一般的には、ハサミを使って切断しつつ解体を行うことが多いが、ハサミでの解体作業は効率が悪いため、カッターナイフの刃などを利用した様々な製品が開発されている。
【０００３】
本発明に関連する技術として、例えば、特許文献１には、少なくとも第一容壁と第二容壁とがほぼ尾根状に屈曲してなる容器を切断して解体する容器解体装置であって、第一容壁に摺接する第一案内面と第二容壁に摺接する第二案内面とがほぼ谷線状に屈曲してなる案内部と、案内部により容器が案内される方向を案内進行方向とし、案内部から案内進行方向へ延びる谷延長部と、案内部の谷線の延長線上に位置し、谷延長部から第一案内面および第二案内面に対してほぼ等角に突出した刃部と、を備え、谷延長部は、案内部よりも凹んだ逃部となっていることを特徴とする容器解体装置が開示されている。
【先行技術文献】
【特許文献】
【０００４】
【特許文献１】特開２００９−１３１６０５号公報
【発明の概要】
【発明が解決しようとする課題】
【０００５】
特許文献１のようなカッターナイフの刃を用いた容器解体装置は、牛乳パックの折り曲げ部上を上部から下部に向かうように引き下げる方向に容器解体装置を移動させる。また、凹部を形成する壁面のなす角度が９０°に設定された凹部に対して、両壁面の中央部に位置し、両壁面とのなす角度が４５°となるように取り付けられている。このため、１つの折り曲げ部を切断した後に、一旦容器から離した後に、隣接する別の折り曲げ部に移動させて同じ動作を繰り返していく必要があるため、解体の効率が良くないという課題がある。
【０００６】
本発明の目的は、解体効率を高めることを可能とする容器解体器具を提供することである。
【課題を解決するための手段】
【０００７】
本発明に係る容器解体器具は、箱状の容器の折り曲げ部上を移動させて前記容器を切断して解体するための容器解体器具であって、第１平面の一方側の辺と第２平面の一方側の辺とが重なって境界辺を構成し、前記第１平面と前記第２平面とが所定の角度をなし、前記第１平面の他方側の辺と前記第２平面の他方側の辺に向けて広がるように形成される凹部を有する把持部と、前記把持部の前記境界辺から突出し、前記移動の進行方向に刃先が向けられた刃部と、を備え、前記刃部と前記第１平面のなす角度は、１５°〜３０°の範囲内に設定されていることを特徴とする。
【０００８】
また、本発明に係る容器解体器具において、前記刃部は、前記境界辺に設けられる基端部と反対側の先端部の刃先のみに前記容器を切断できない丸み部を有していることが好ましい。
【０００９】
また、本発明に係る容器解体器具において、前記刃部は、通常に切断する際の第１の位置と、前記第１の位置から前記進行方向と反対の方向に動きながら切断する際の第２の位置との間を移動可能に設けられており、前記刃部が前記第２の位置に移動した際に前記第１の位置に戻るような復元力を与える弾性部を備えることが好ましい。
【００１０】
また、本発明に係る容器解体器具において、前記第１平面は、ユーザーが前記把持部を把持した際に親指が位置する側と反対側に設けられていることが好ましい。
【発明の効果】
【００１１】
本発明によれば、刃部と第１平面のなす角度は、１５°〜３０°の範囲内に設定されているため、隣接する折り曲げ部で構成される容器の角部での取り回しが容易となるため、容器解体器具を容器から取り外す必要なく、一筆書きのような動作で解体することができる。これにより、効率良く容器を解体することができる。
【図面の簡単な説明】
【００１２】
【図１】本発明に係る実施形態において、容器解体器具を示す図である。
【図２】本発明に係る実施形態において、容器解体器具を用いて牛乳パックの容器を解体する様子を示す図である。
【図３】本発明に係る実施形態において、容器解体器具の変形例を示す図である。
【発明を実施するための形態】
【００１３】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１４】
図１は、容器解体器具１０を示す図である。図１（ａ）は、容器解体器具１０の把持部１１の凹部１３を上に向けた場合の斜視図である。図１（ｂ）は、容器解体器具１０の正面図である。
【００１５】
図１（ｃ）は、容器解体器具１０の底面図である。図１（ｄ）は、容器解体器具１０において側面から見た場合の断面図である。図２は、容器解体器具１０を用いて牛乳パック２の容器を解体する様子を示す図である。牛乳パック２は、略四角柱形状の本体部と、牛乳の注ぎ口を形成する略四角錘の天井部がある。
【００１６】
この天井部の上部の注ぎ口に手を掛けて開くと天井部が全て開口した状態となる。この状態で逆さにした牛乳パック２を図２（ｃ）に示している。
【００１７】
容器解体器具１０は、箱状の容器、例えば、牛乳パック２等の容器の折り曲げ部４上を移動させて牛乳パック２を切断して解体するための器具である。容器解体器具１０は、把持部１１と、刃部１６と、弾性部２０とを備えている。
【００１８】
把持部１１は、ユーザーの手で握りやすいような形状を有しており、天井部は平坦面であり、底部には略Ｖ字形状の溝である凹部１３が形成されている。凹部１３は、第１平面１２の一方側の辺と第２平面１４の一方側の辺とが重なって境界辺２２を構成し、第１平面１２の他方側の辺と第２平面１４の他方側の辺に向けて広がるように形成される。
【００１９】
第１平面１２と第２平面１４のなす角度は、略９０°に設定することが好ましい。把持部１１の天井部の幅は、ユーザーが握りやすい幅に設定することが好ましく、例えば、３ｃｍ〜４ｃｍ程度に設定することが好ましい。把持部１１の高さは、４ｃｍ程度に設定することが好適である。
【００２０】
把持部１１の天井部の長さは、約８ｃｍ程度に設定する。第１平面１２が設けられる側の側面には、人差し指、中指、薬指、小指を添え、第２平面１４が設けられる側の側面には、親指を添えて把持することが好ましい。
【００２１】
把持部１１は、把持しやすく、適度な強度を有する材質で構成されることが好ましく、例えば、木材、ステンレス、樹脂などで構成することが考えられる。また、把持部１１には、指が触れる領域に滑り止め加工をしておくことも好ましい。
【００２２】
刃部１６は、把持部１１の境界辺２２から突出し、把持部１１の移動の進行方向に刃先１７が向けられている。刃部１６と第１平面１２のなす角度θは、１５°〜３０°の範囲内に設定されていることが好ましく、より好ましくは２０°〜２５°の範囲内に設定することである。
【００２３】
刃部１６は、鋼を材質として形成された所謂カッターナイフで構成されている。刃部１６は、回動軸２１を軸として回動させることで、通常に切断する際の第１の位置と、第１の位置から進行方向と反対の方向に動きながら切断する際の第２の位置との間を移動可能にしている。
【００２４】
刃部１６は、第1の位置に位置する際に境界辺２２の端部から約１ｃｍ程度のところから突出するように設けられ、突出している部分の長さ及び幅は、約１ｃｍ程度に設定されている。このような位置に設けることで、刃部１６の突出方向の先端部の刃先１７が把持部１１の長手方向の端部に揃うような状態にすることができる。
【００２５】
刃部１６は、境界辺２２に設けられる基端部と反対側の先端部の刃先１７のみに牛乳パック２を切断できない丸み部１９を有している。刃部１６の刃先１７は、牛乳パック２などの紙を切断可能に鋭利な状態に加工されている。これに対し、丸み部１９は丸みを帯びた膨らみが設けられている。
【００２６】
丸み部１９は、刃部１６を形成する際に一体化した状態で丸み加工が施されて形成してもよいが、別部材をかぶせたカバーを装着して形成することも可能である。
【００２７】
弾性部２０は、刃部１６が第２の位置に移動した際に第１の位置に戻るような復元力を与える。弾性部２０は、外力が与えられて変形した際に元の形状に戻ろうとするウレタンチューブであるものとして説明するが、もちろん、その他の部材、例えば、バネ部材を用いてもよい。
【００２８】
弾性部２０は、図１（ｄ）に示されるように、刃部１６の刃先１７と反対側の基端部で把持部１１内に設けられている。なお、把持部１１内に刃部１６と弾性部２０を装着するには、様々な方法が考えられる。
【００２９】
その一例としては、把持部１１を境界辺２２に沿って半分に分離可能な別部材で構成し、内部に刃部１６と弾性部２０を装着可能な空間領域を形成して装着する。そして、分離された把持部１１を重ね合わせ、ボルトやナットなどの締結部材を用いて締結することができる。
【００３０】
続いて、上記構成の容器解体器具１０の作用について説明する。牛乳パック２などの紙製の容器は、リサイクル活動の一環として、解体した状態で回収することがある。ユーザー２は、飲み終えた牛乳パック２の内容を水洗いして乾燥させた後に解体作業を行うことが多い。
【００３１】
牛乳パック２の天井部において注ぎ口に両手の指、例えば、人差し指を引掛けて開くと、天井部全体が開口した状態となる。この状態で天井部と底面部を逆さにすると図２（ｃ）の状態となる。
【００３２】
ユーザーは、容器解体器具１０の把持部１１を握る。ユーザーが右利きの場合に、第１平面１２が設けられる側の側面には、人差し指、中指、薬指、小指を添え、第２平面１４が設けられる側の側面には、親指を添えて把持する。
【００３３】
そして、容器解体器具１０の刃先１７を天井部の開口部の角に合せて、図２（ｃ）に示すように矢印Ａ方向に沿って折り曲げ部４を切断するように押し上げる。このとき、把持部１１の凹部１３は第１平面１２と第２平面１４のなす角度が９０°に設定されているため、牛乳パック２の側面に接触した状態で案内されるため、矢印Ａ方向に沿って折り曲げ部４を切断することができる。
【００３４】
牛乳パック２は、折り曲げ部４の内部側は、図２（ａ）（ｂ）に示されるように隆起した膨らみ部３が形成されている。第１平面１２と刃部１６とのなす角度が４５°に設定される場合には、膨らみ部３のうち最も厚い部分を切断する必要がある。
【００３５】
このため、折り曲げ部４に沿って切断が難しく、さらに、矢印Ａ方向から矢印Ｂ方向に向きを変えるように隣接する折り曲げ部４に移動する際には膨らみ部３に引っかかって上手く取り回しができない。このため、一旦、容器解体器具１０を牛乳パック２から外す必要がある。
【００３６】
しかしながら、容器解体器具１０によれば、刃部１６と第１平面１２のなす角度は、１５°〜３０°の範囲内に設定されているため、図２（ａ）に示されるように、膨らみ部３を避けて切断することができる。例えば、解体対象が牛乳パック２である場合には、１５°〜３０°の範囲内、より好ましくは２０°〜２５°に設定し、かつ、刃部１６の位置の第１平面１２と第２平面１４の合わさる中心線から１〜１．５ｍｍずらした位置に設定することで、膨らみ部３を避けて切断することができる。これにより、折り曲げ部４の薄い部分だけを切るだけでよいため、切断しやすく、また、隣接する折り曲げ部４に移動する際の取り回しもやりやすいという利点がある。
【００３７】
さらに、容器解体器具１０によれば、刃部１６を押し付ける力を加えることで第１の位置から第２の位置に移動させることもできるため、牛乳パック２の角部（矢印Ａ方向から矢印Ｂ方向への切り替え部、矢印Ｂ方向から矢印Ｃ方向への切り替え部など）での方向転換もやりやすく、角部の際まで深く切断することが出来るという効果を奏する。
【００３８】
また、刃部１６の先端には、丸み部２０が設けられるため、図２（ｂ）の矢印方向に刃部１６が動いた場合であっても丸み部２０によって抜け落ちが規制させるため、作業効率の低下を抑制でき、結果として解体作業の効率を高めることができる。
【００３９】
また、丸み部２０を設けることで解体作業の効率を高めるだけでなく、牛乳パック２の角部での取り回しもやりやすいという利点がある。さらに、刃部１６の刃先１７の先端部（角部）に丸みを有するため、誤って触っても怪我をしないため、小さな子供や高齢者なども扱いやすいという効果がある。
【００４０】
このため、容器解体器具１０を用いることで、図２（ｃ）に示されるように、矢印Ａ方向、矢印Ｂ方向、矢印Ｃ方向に沿った順番で、一筆書きで解体作業が出来るため、効率良く解体出来るという顕著な効果を奏する。
【００４１】
なお、ここでは、容器解体器具１０は右利きのユーザーにとってやりやすいように刃部１６が取り付けられているが、左利きの場合には、右利きのように第１平面１２とのなす角度を１５°〜３０°に設定するのではなく、反対側の第２平面１４とのなす角度を１５°〜３０°に設定することが好ましい。
【００４２】
また、右利きのユーザー用と左利きのユーザー用に別々に容器解体器具を形成しても良いが、１つの容器解体器具１０ａに設置してもよい。図３（ａ）は、図１（ｄ）に相当する容器解体器具１０ａの断面図であり、図３（ｂ）は、図１（ｂ）に相当する容器解体器具１０ａの正面図である。
【００４３】
容器解体器具１０ａは、右利き用の刃部１６ａと左利き用の刃部１６ｂを備えている。刃部１６ａは、刃部１６と同様の構成を有しており、刃先１７ａと、丸み部１９ａと、弾性部２０ａと、回動軸２１ａとを備えている。刃部１６ｂは、刃部１６と同様の構成を有しており、刃先１７ｂと、丸み部１９ｂと、弾性部２０ｂと、回動軸２１ｂとを備えている。
【００４４】
図３（ｂ）に示されるように、刃部１６ａは第１平面１２とのなす角度を１５°〜３０°に設定し、刃部１６ｂは第２平面１４とのなす角度を１５°〜３０°に設定するようにする。
【００４５】
刃部１６ａの刃先１７ａと、刃部１６ｂの刃先１７ｂは反対方向に向けられている。容器解体器具１０ａの特徴は、図３（ｂ）に示されるように、境界辺２２ａと境界辺２２ｂと所定の角度αをなすように設けられている点である。容器解体器具１０の境界辺２２のように一文字上に形成されて刃部１６ａと刃部１６ｂと設けた場合に、例えば刃部１６ａを用いて牛乳パック２を切断すると途中で刃部１６ｂに引っかかる虞がある。
【００４６】
しかしながら、容器解体器具１０ａは、境界辺２２ａと境界辺２２ｂと所定の角度αをなすように若干の傾斜が設けられているため、図３（ａ）に示されるように、牛乳パック２が刃部１６ａを通過して刃部１６ｂ側に進んでも刃部１６ｂから離れるように案内される。これにより、刃部１６ｂに引っかかることを抑制することができるという利点がある。
【符号の説明】
【００４７】
２  牛乳パック、３  膨らみ部、４  折り曲げ部、１０，１０ａ   容器解体器具、１１  把持部、１２  第１平面、１３  凹部、１４  第２平面、１６，１６ａ，１６ｂ  刃部、１７，１７ａ，１７ｂ  刃先、１９，１９ａ，１９ｂ  丸み部、２０，２０ａ，２０ｂ  弾性部、２１，２１ａ，２１ｂ  回動軸、２２，２２ａ，２２ｂ  境界辺。
【図１】
2019205731.tif 000003
【図２】
2019205731.tif 000004
【図３】
2019205731.tif 000005
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
箱状の容器の折り曲げ部上を移動させて前記容器を切断して解体するための容器解体器具であって、
第１平面の一方側の辺と第２平面の一方側の辺とが重なって境界辺を構成し、前記第１平面と前記第２平面とのなす角度が９０°であり、前記第１平面の他方側の辺と前記第２平面の他方側の辺に向けて広がるように形成される凹部を有する把持部と、
前記把持部の前記境界辺から突出し、前記境界辺とのなす角度が所定の角度となるように前記移動の進行方向に刃先が向けられた刃部と、
を備え、
前記刃部と前記第１平面のなす角度は、１５°〜３０°の範囲内に設定されており、
前記刃部は、前記境界辺に設けられる基端部と反対側の先端部の刃先のみに前記容器を切断できない丸み部を有しており、
前記刃先の前記丸み部が前記箱状の容器の角部と当接した際に前記境界辺とのなす角度が前記所定の角度よりも大きくなるように回動し、前記当接から解放されたときに前記所定の角度に戻るような復元力を与える弾性部を備えることを特徴とする容器解体器具。
【手続補正２】
【補正対象書類名】明細書
【補正対象項目名】０００７
【補正方法】変更
【補正の内容】
【０００７】
本発明に係る容器解体器具は、箱状の容器の折り曲げ部上を移動させて前記容器を切断して解体するための容器解体器具であって、第１平面の一方側の辺と第２平面の一方側の辺とが重なって境界辺を構成し、前記第１平面と前記第２平面とのなす角度が９０°であり、前記第１平面の他方側の辺と前記第２平面の他方側の辺に向けて広がるように形成される凹部を有する把持部と、前記把持部の前記境界辺から突出し、前記境界辺とのなす角度が所定の角度となるように前記移動の進行方向に刃先が向けられた刃部と、を備え、前記刃部と前記第１平面のなす角度は、１５°〜３０°の範囲内に設定されており、前記刃部は、前記境界辺に設けられる基端部と反対側の先端部の刃先のみに前記容器を切断できない丸み部を有しており、前記刃先の前記丸み部が前記箱状の容器の角部と当接した際に前記境界辺とのなす角度が前記所定の角度よりも大きくなるように回動し、前記当接から解放されたときに前記所定の角度に戻るような復元力を与える弾性部を備えることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】